(57)【要約】      （修正有）【課題】簡易な構造により、演出効果を高めることができる演出用放水装置を提供する。【解決手段】演出用の放水装置１００は、水切り回転板１４、回転レバー、放水ノズル１５、複数のダミー銃身２を備えている。複数の水通過孔１４ａは、それぞれ、水きり回転板１４の回転中心の周りであって且つ放水ノズル１５の水放出口１５ａに対向する位置に形成されており、水放出口１５ａから放出された水が回転レバーによって回転される水切り回転板１４の複数の水通過孔１４ａの一つを通過する際水塊となり、この水塊がダミー銃身２の先端側へ連続的に飛んでいく。【選択図】図３
2012120645.tif 000002
【特許請求の範囲】
【請求項１】
筐体と、
前記筐体内に設けられた、複数の水通過孔が貫通形成された水きり回転板と、
前記水きり回転板を回転させるための動力を入力する動力入力部と、
前記水きり回転板の一方の面側に設けられた放水ノズルと、
前記水きり回転板の他方の面側において、前記筐体外で放水方向に延在する複数のダミー銃身と、を備え、
前記複数の水通過孔は、それぞれ、前記水きり回転板の回転中心の周りであって且つ前記放水ノズルの水放出口に対向する位置に形成されており、
前記動力入力部による前記水きり回転板の回転中、前記水放出口から放出された水が、前記複数の水通過孔の一つを通過することと、前記水きり回転板における隣り合う水通過孔の間にある非貫通部分に当たることとが連続してなされることにより、連続的な水塊が前記ダミー銃身の先端側へ飛翔していくように構成された、演出用放水装置。
【発明の詳細な説明】
【技術分野】
【０００１】
本発明は、舞台などで演出効果を上げるために使用される演出用放水装置に関する。
【背景技術】
【０００２】
舞台やコンサートなどでは、様々な仕掛けによって、演出者のステージを引き立たせ、観客を魅了しているが、そのうちの一つとして、水の演出がある。例えば、ステージ上の歌手が自ら放水装置を手にとって観客に向けて水を放出したり、あるいは、ステージ外の放水装置からステージ上の演出者に向けて水を放出したりすることがある。
【０００３】
なお、放水装置としては、消火用水を放水する放水銃を有する放水銃装置が知られている（例えば、下記特許文献１参照）。
【先行技術文献】
【特許文献】
【０００４】
【特許文献１】特開２００４−２７５２７３号公報
【発明の概要】
【発明が解決しようとする課題】
【０００５】
従来の放水装置は、外部の給水タンクから水をポンプにより供給され、ポンプから圧送される水をその勢いのまま観客や演出者等に向けて放水するものが一般的であった。このため、演出効果が高いとは必ずしも言えず、新たな放水装置が望まれていた。
【０００６】
そこで、本発明は、簡易な構造により、演出効果を高めることができる演出用放水装置を提供することをその目的としている。
【課題を解決するための手段】
【０００７】
上記目的を達成するため、本発明の演出用放水装置は、筐体と、筐体内に設けられて複数の水通過孔が貫通形成された水きり回転板と、水きり回転板を回転させるための動力を入力する動力入力部と、水きり回転板の一方の面側に設けられた放水ノズルと、水きり回転板の他方の面側において筐体外で放水方向に延在する複数のダミー銃身と、を備え、複数の水通過孔は、それぞれ、水きり回転板の回転中心の周りであって且つ放水ノズルの水放出口に対向する位置に形成されている。そして、動力入力部による水きり回転板の回転中、水放出口から放出された水が、複数の水通過孔の一つを通過することと、水きり回転板における隣り合う水通過孔の間にある非貫通部分に当たることとが連続してなされることにより、連続的な水塊がダミー銃身の先端側へ飛翔していくように構成されている。
【０００８】
本発明によれば、あたかもダミー銃身から水塊（水玉）が連続的に発射しているかのような印象を与えることができるので、放水ノズルからの水をそのまま放出する従来のものに比べて、水による演出効果を格段に高めることができる。また、筐体内に水きり回転板を設けているので、水塊を生じさせる構造を外部からでは認識できないような配慮をすることができ、より一層演出効果を高めるのに寄与する。さらに、複数の銃身をダミーとしているので、個々の銃身から水を発射する場合に比べて、放水装置としての構造を簡素化することができる。
【図面の簡単な説明】
【０００９】
【図１】本発明の実施形態に係る演出用放水装置の側面図である。
【図２】同実施の形態に係る演出用放水装置の背面図である。
【図３】同実施の形態に係る筐体の内部構造の模式的断面図である。
【図４】同実施の形態に係る複数のダミー銃身及び水切り回転板の正面図である。
【発明を実施するための形態】
【００１０】
以下、本発明の演出用放水装置を演出用のガトリング砲タイプの放水装置に適用した実施形態について図面を参照しながら説明する。
【００１１】
図１及び図２に示すように、放水装置１００は、円筒形状の筐体１と、筐体１の一方の端面１ａ側から延びる複数のダミー銃身２と、筐体１を一対のブラケット状の支持部材５、５を介して支持する回転装置３と、回転装置３を設置した基台４と、を有している。基台４は下側の四隅に４つのキャスター６が取り付けられており、このキャスター６を利用してユーザが自由に放水装置１００を移動できるようになっている。
【００１２】
複数のダミー銃身２は、本実施形態では６つが等間隔に筐体１外に設けられており（参照：図４）、筐体１の長手方向に沿ってそれぞれ端面１ａ側から放水装置１００による水の放出方向（すなわち放水方向）に延在している。
【００１３】
回転装置３は、回動軸４ａを介して基台４上に設置されており、回動軸４ａを利用して水平方向において所定の範囲で回動可能に構成されている。すなわち、回転装置３を回動軸４ａを中心に回動させることにより、筐体１の他方の端面１ｂ側から見て、ダミー銃身２の先端側を左に向けたり、右に向けたりといったように、筐体１を基台４に対して水平方向に角度調整できるようになっている。
【００１４】
一対の支持部材５、５は、筐体１の円筒形状の両側面を挟むようにして筐体１を下側から支持している。また、各支持部材５は、回動軸５ａを介して回転装置３の上部に設置されており、回動軸５ａを利用して鉛直方向において所定の範囲で回動可能に構成されている。したがって、筐体１は、ダミー銃身２の先端側を下に向けたり、上に向けたりといったように、基台４に対して鉛直方向に角度調整できるようになっている。
【００１５】
筐体１は、複数のダミー銃身２とは反対側の外周面側に、ユーザによって手動操作される回転レバー８が設けられている。回転レバー８は、水きり回転板１４（参照：図３）を回転させるための動力を入力する動力入力部として機能する。また、筐体１の他方の端面１ｂには、ユーザが筐体１の向きを変更する際に把持する把持部９のほか、放水ホース１６（参照：図３）を筐体１内に挿入するための開閉蓋１０が設けられている。更に、複数のダミー銃身２側の筐体１の上部には、照準装置を模擬した模擬照準装置１１が設けられている。これにより、放水装置１００を、より実際のガトリング砲に模擬させている。
【００１６】
図３は、筐体１の内部構造の模式的断面図である。
筐体１内の下側には、筐体１の長手方向に沿ってフレーム１２が配置されている。フレーム１２は、上方に立ち上がる３つの突出部１２ａ〜１２ｃを有しており、突出部１２ａ〜１２ｃは、互いに所定の間隔をおいて、この順で端面１ａ側から端面１ｂ側へ並んでいる。フレーム１２は、３つの突出部１２ａ〜１２ｃによってシャフト１３を３箇所で回転可能に支持している。シャフト１３には、筐体１外に設けられた回転レバー８の回転がベベルギア（図示を省略する。）を介して動力として伝達されるように構成されている。これにより、シャフト１３は回転レバー８の回転と連動して回転する。
【００１７】
突出部１２ａと１２ｂとの間には、水切り回転板１４が回転可能に設けられている。水切り回転板１４は、その中心にシャフト１３が挿通されてこれに軸着されている。したがって、放水装置１００は、ユーザによって回転レバー８が回転された場合、この回転動力が伝えられたシャフト１３が回転し、このシャフト１３の回転とともに水切り回転板１４が回転するように構成されている。
【００１８】
水切り回転板１４は、円盤形状をしており、一方の端面１４ｃをダミー銃身２側に且つ他方の端面１４ｄを放水ノズル１５側に向けた状態で筐体1内に設けられている。水切り回転板１４には、放水ノズル１５からの水をダミー銃身２の先端側へと通過させるための複数の水通過孔１４ａが貫通形成されている。なお、水切り回転板１４の素材としては、例えば、防錆性に優れた材料という観点からは、スチールを用いることが好ましいが、これに限るものではない。
【００１９】
図４に示すように、水通過孔１４ａは、本実施形態では４つ形成されており、それぞれ、水きり回転板１４の回転中心の周りに形成されている。換言すると、水切り回転板１４は、隣り合う水通過孔１４ａ，１４ａの間に非貫通部１４ｂを有しており、４つの水通過孔１４ａの中心は、それぞれが水きり回転板１４の中心（シャフト１３の位置）と同心円上の一つの仮想ラインに、等間隔で周方向に位置している。また、４つの水通過孔１４ａは、それぞれが、放水ノズル１５の水放出口１５ａに対向する位置に形成されている。水通過孔１４ａは、直径が７０ｍｍの円孔からなり、水放出孔１５ａ（直径２０ｍｍ）よりも大径に形成されている。なお、水通過孔１４ａ及び水放出孔１５ａの直径は適宜設計することが可能であるが、上記の値とすることが好ましい。
【００２０】
図３に示すように、放水ノズル１５は、筐体１内において、シャフト１３の上側に設置されている。放水ノズル１５は、水放出口１５ａを水きり回転板１４の端面１４ｄに臨むように配置されており、水放出口１５ａは、既述のように、水きり回転板１４が回転する際にそれぞれの水通過孔１４ａと対向するように配置されている。一方、放水ノズル１５の後端には、水放出口１５ａに水を供給するための放水ホース１６が接続されている。給水ホース１６は、給水装置（図示を省略する。）からユーザの指示に基づいて水が所定の圧力で圧送されるようになっている。
【００２１】
再び図４に示すように、計６つのダミー銃身２は、例えば、筐体１の端面１ａに取り付けられたドーナツ形状のリング部材２ａの端面から、放水ノズル１５による放水方向に延在している。このリング部材２ａの内側開口には、水切り回転板１４が視認可能になっており、４つの水通過孔１４ａが臨んでいる。したがって、放水ノズル１５から放出されて水通過孔１４ａを通過した水は、リング部材２ａの内側開口を通過して、ダミー銃身２の先端側へと放出されるようになっている。
【００２２】
なお、放水ノズル１５から放出されて水通過孔１４ａを通過しなかった水、すなわち水きり回転板１４の非貫通部１４ｂに当たった水は、筐体１内の下部へと落下し、筐体１の下部に貫通形成した排水口（図示を省略する。）から筐体１外へと流れ落ちるようになっている。
【００２３】
以上のように構成された放水装置１００によると、ユーザは把持部９を利用して放水装置１００の放水方向を自由に定めることができる。放水方向が定まった後、ユーザが給水装置（図示を省略する。）に放水指示をすると共に回転レバー８の回転動作を行った場合、給水装置から給水ホース１６及び放水ノズル１５を介して、水放出口１５ａから水が放出されるとともに水切り回転板１４が回転する。
【００２４】
水きり回転板１４の回転中では、水放出口１５ａから放出された水は、複数の水通過孔１４ａの一つを通過することと非貫通部分１４ｂに当たることとが連続してなされる。具体的には、水切り回転板１４の一つの水通過孔１４ａが放水ノズル１５の水放出口１５ａと対向する位置を通過する際に、水放出口１５ａから放水方向への放水路が一瞬開放され、このときに放水される水が水塊となって放たれる。このような水塊の放出は水通過孔１４ａが水放出口１５ａと対向する毎に行われる。この水塊は、水切り回転板１４の水通過孔１４ａの形状に基づいて球のような形状となり、あたかも弾丸のように、ダミー銃身２の先端側へ連続的に飛んでいく。
【００２５】
したがって、放水装置１００が舞台装置で用いられた場合、６つのダミー銃身２で囲まれた内部から水塊が連続的に放出されるため、あたかも本物のガトリング砲から弾丸が発射されているように観客に視認させることができる。したがって、放水装置１００によれば、放水ノズル１５からの水をそのまま放出する従来のものに比べて、水による演出効果を高めることができる。
【００２６】
また、筐体１内に水きり回転板１４を設けているので、水塊を生じさせる構造を外部からでは認識できないように配慮することができ、より一層演出効果を高めることができる。さらに、複数の銃身２をダミーとし、実際には銃身２からは水が発射されないので、個々の銃身から水を発射する場合に比べて、放水装置１００としての構造を簡素化することができる。
【００２７】
なお、本実施形態では、複数のダミー銃身２が回転しない場合について説明しているが、これに限られるものではなく、リング部材２ａを回転させることにより、複数のダミー銃身２を回転させるように構成しても良い。こうすることにより、放水装置１００を更に本物らしく観客に視認させることができ、演出効果を更に増すことが可能になる。
【００２８】
また、水切り回転板１４の非貫通部１４ｂは、水通過孔１４ａだけでなく、水通過孔１４ａよりも小さい多数の小孔を有していてもよい。これにより、水切り回転板１４が放水ノズル１５から放水される水を一部塞ぐ位置にある場合、水放出口１５ａから放水される水の圧力を小孔で逃がすことができる。
【００２９】
さらに、水きり回転板１４を回転させる動力を入力するための動力入力部として、手動方式による回転レバー８を用いたが、モータなどの駆動源を用いてもよい。
【符号の説明】
【００３０】
１・・・筐体、１ａ，１ｂ・・・端面、２・・・ダミー銃身、３・・・回転装置、４・・・基台、８・・・回転レバー、１４・・・水切り回転板、１４ａ・・・水通過孔、１５・・・放水ノズル、１６・・・給水ホース、１００・・・演出用の放水装置
【図１】
2012120645.tif 000003
【図２】
2012120645.tif 000004
【図３】
2012120645.tif 000005
【図４】
2012120645.tif 000006